(57)【要約】【課題】心電データ等の生体情報を簡易な構成で収集する。【解決手段】生体情報を収集するために、人体の心臓の周辺において体表面に設置される生体情報収集デバイスであって、生体情報収集の対象である人体の体表面に設置可能に構成されている帯板状のシート基板と、心臓が発生する電気信号である心電信号を検出するために、前記シート基板に互いに離隔させて設置されている導電性繊維で形成された一対の電極と、前記一対の電極のいずれかの近傍において前記シート基板に設置されている接地用電極と、前記一対の電極からアナログの心電信号を受信して、所定の増幅処理、ノイズ除去処理を実行した後、デジタル信号に変換して心電データとして記録する心電信号処理部と、心電信号の異常の有無を判定するための標準心電データを保持しており、収集した前記心電データを前記標準心電データと比較して前記心電データに異常があるか否かの判定結果を出力する心電信号判定部とを備えている。【選択図】図１
2019017803.tif 000002
【特許請求の範囲】
【請求項１】
心電データを含む生体情報を収集するために、人体の体表面に設置される生体情報収集デバイスであって、
生体情報収集の対象である人体の体表面に設置可能に構成されているシート基板と、
心臓が発生する電気信号である心電信号を検出するために、前記シート基板に互いに離隔させて設置されており、それぞれ導電性繊維で形成されている一対の測定電極と、
前記一対の測定電極のいずれかの近傍において前記シート基板に設置されている接地電極と、
前記一対の測定電極からアナログの心電信号を受信して、所定の増幅処理、ノイズ除去処理を実行した後、デジタル信号に変換して心電データとして記録する心電信号処理部と、
心電信号の異常に基づいて測定対象者の容態を判定するための閾値データを保持しており、収集した前記心電データを前記閾値データと比較して測定対象者の容態の判定結果を出力する心電信号判定部と
を備えている生体情報収集デバイス。
【請求項２】
請求項１に記載の生体情報収集デバイスであって、
前記生体情報収集デバイスの測定対象者について確実なトリアージを実施するために、前記心電信号判定部による判定結果に対応して異なる発光態様で発光するように構成されている表示灯を備えている、
生体情報収集デバイス。
【請求項３】
請求項１に記載の生体情報収集デバイスであって、
前記シート基板は、生体に悪影響を及ぼさない材料で形成され、人体体表面に当該シート基板を密接させて保持するための粘着部を備えている、
生体情報収集デバイス。
【請求項４】
請求項１に記載の生体情報収集デバイスであって、
温度センサ、血圧センサ、および呼吸数センサのうちの少なくともいずれか一つと、当該センサの出力信号を処理するためのセンサデータ処理部とを備えている、
生体情報収集デバイス。
【請求項５】
請求項１に記載の生体情報収集デバイスであって、
前記心電データおよび前記心電信号判定部の判定結果を表すデータである判定結果データのうちの少なくともいずれかを、当該生体情報収集デバイスに付与されている識別符号であるデバイスＩＤと対応づけて無線通信により送信する通信インタフェースを備えている、
生体情報収集デバイス。
【請求項６】
請求項５に記載の生体情報収集デバイスと通信可能に接続されるように構成されている生体情報収集装置であって、
前記生体情報収集デバイスから受信するデバイスＩＤと心電データ又は判定結果データとを対応づけて記憶する生体情報記憶部と、
受信した前記心電データをあらかじめ記憶しておいた閾値データと比較して測定対象者の容態を判定し、その判定結果、又は受信した前記判定結果データと、対応づけられている前記デバイスＩＤとを出力する生体情報管理部と、
を備えている生体情報収集装置。
【発明の詳細な説明】
【技術分野】
【０００１】
本発明は、生体情報収集デバイス、および生体情報収集装置に関する。
【背景技術】
【０００２】
大規模な災害、事故、テロ等によって、一時に多数の傷病者が発生した場合、限られた病院等の医療施設ですべての傷病者を受け入れて迅速かつ適切に医療行為を実施することは、現実的に困難である。そこで、多数の傷病者について各人の症状の度合いに応じて処置を行う順番を決めて対応する、いわゆるトリアージを迅速に行うことが求められる。
【０００３】
例えば特許文献１には、救助が必要とされる複数の救助対象者に対して短時間で救助の優先順を決定することを目的として、無線通信ネットワークを介して救助対象者端末と情報を送受信するレスキュー端末が開示されている。このレスキュー端末は、救助対象者の身体が危険な状態にある度合いを示す危険度を表す危険度情報および前記救助対象者の位置を表す位置情報を複数の前記救助対象者端末に要求する救助対象者情報要求部と、前記要求に応じて複数の前記救助対象端末からそれぞれ送信された最新の前記危険度情報に基づいて、複数の救助対象者のうち各救助対象者を救助する優先順を決定する救助優先順決定部と、前記各救助対象者の前記危険度情報、前記位置情報、および前記優先順を表す優先順情報を関連付けて提示する情報提示部とを備えている（要約、請求項１）。
【先行技術文献】
【特許文献】
【０００４】
【特許文献１】特開２０１６−１１５２５６号公報
【発明の概要】
【発明が解決しようとする課題】
【０００５】
特許文献１に開示されている救助対象者端末は、例えば体温等の生体情報を収集するためのセンサが設けられた、導電性繊維により形成された衣服として実現することができるとされている（例えば段落００２１，００２２参照）。しかしながら、一時に多数の負傷者等が発生している現場に、必要な数の生体情報収集用の衣服を持ち込んで負傷者等に身につけさせることは、現場の混乱、重篤な負傷者等が存在すること等を考えると実施には困難が伴うと予想される。この点で、現場での迅速なトリアージ実施を可能とするような、より簡便な手法が待望されていた。
【０００６】
本発明は、上記のおよび他の課題を解決するためになされたもので、簡易な構成で心電データ等の生体情報の収集を可能とし、それにより一時に多数の負傷者等が発生している現場において、トリアージを迅速に実施することを可能とする、生体情報収集デバイス、および生体情報収集装置の提供を一つの目的としている。
【課題を解決するための手段】
【０００７】
上記のおよび他の目的を達成するための、本発明の一態様は、心電データを含む生体情報を収集するために、人体の体表面に設置される生体情報収集デバイスであって、生体情報収集の対象である人体の体表面に設置可能に構成されているシート基板と、心臓が発生する電気信号である心電信号を検出するために、前記シート基板に互いに離隔させて設置されており、それぞれ導電性繊維で形成されている一対の測定電極と、前記一対の測定電極のいずれかの近傍において前記シート基板に設置されている接地電極と、前記一対の測定電極からアナログの心電信号を受信して、所定の増幅処理、ノイズ除去処理を実行した後、デジタル信号に変換して心電データとして記録する心電信号処理部と、心電信号の異常に基づいて測定対象者の容態を判定するための閾値データを保持しており、収集した前記心電データを前記閾値データと比較して測定対象者の容態の判定結果を出力する心電信号判定部とを備えている。
【０００８】
前記生体情報収集デバイスは、その測定対象者について確実なトリアージを実施するために、前記心電信号判定部による判定結果に対応して異なる発光態様で発光するように構成されている表示灯を備えることができる。
前記シート基板には、生体に悪影響を及ぼさない材料で形成され、人体体表面に当該シート基板を密接させて保持するための粘着部を備えることができる。
【０００９】
また前記生体情報収集デバイスは、温度センサ、血圧センサ、および呼吸数センサのうちの少なくともいずれか一つと、当該センサの出力信号を処理するためのセンサ信号処理部とを備えてもよい。
【００１０】
さらに前記生体情報収集デバイスには、前記心電データおよび前記心電信号判定部の判定結果を表すデータである判定結果データのうちの少なくともいずれかを、当該生体情報収集デバイスに付与されている識別符号であるデバイスＩＤと対応づけて無線通信により送信する通信インタフェースを設けることができる。
【００１１】
本発明の他の実施形態は、前記生体情報収集デバイスと通信可能に接続されるように構成されている生体情報収集装置であって、前記生体情報収集デバイスから受信するデバイスＩＤと心電データ又は判定結果データとを対応づけて記憶する生体情報記憶部と、受信した前記心電データをあらかじめ記憶しておいた閾値データと比較して測定対象者の容態を判定し、その判定結果、又は受信した前記判定結果データと、対応づけられている前記デバイスＩＤとを出力する生体情報管理部とを備えている。
【発明の効果】
【００１２】
本発明によれば、簡易な構成で心電データ等の生体情報の収集が可能となり、それにより一時に多数の負傷者等が発生している現場において、トリアージを迅速に実施することが可能となる。
【図面の簡単な説明】
【００１３】
【図１】図１は、本発明の一実施形態に係るモニタパッドの構成例を示す図である。
【図２】図２は、本発明の一実施形態に係るモニタパッドの構成例を示す図である。
【図３】図３は、本発明の一実施形態に係るモニタパッドの構成例を示す図である。
【図４】図４は、体表面へのモニタパッドの設置例を示す図である。
【図５】図５は、図１〜図３に例示するモニタパッドの機能構成を示すブロック図である。
【図６】図６は、モニタパッドから送信されるデータの構成例を示す図である。
【図７】図７は、モニタパッドで実行されるデータ処理フロー例を示す図である。
【図８】図８は、本発明の一実施形態に係る生体情報収集装置の構成例を示す図である。
【図９】図９は、生体情報記憶部の構成例を示す図である。
【図１０】図１０は、本発明の一実施形態に係るモニタパッドおよび生体情報収集装置を利用した医療支援システムの概要を示す図である。
【発明を実施するための形態】
【００１４】
以下、本発明につき、その一実施形態に即して図面を用いて説明する。
【００１５】
モニタパッド１０
まず、本発明の一実施形態によるモニタパッド１０について説明する。モニタパッド１０の構成例を、図１〜図３に示している。図１はモニタパッド１０の電極側を、図２はモニタパッド１０の非電極側を、図３はモニタパッド１０の側面図をそれぞれ示している。なお、以下、便宜的に、モニタパッド１０の電極側、非電極側を、それぞれ裏側、表側ということがある。
【００１６】
モニタパッド１０は、本実施形態における生体情報収集デバイスとして機能し、生体情報測定対象となる負傷者等に、絆創膏のように貼り付けることができるように構成されている。モニタパッド１０は、後述するような心電信号を検出することが可能な体表面の位置に貼り付けられる。
【００１７】
モニタパッド１０は、シート基板１１の表側にモニタユニット１００が、裏側に測定電極１２，１３、接地電極１４、および接続部１５が設けられて構成されている。シート基板１１は、体表面に接触しても人体に悪影響を及ぼさない材質、例えば救急絆創膏の基材として用いられるウレタン不織布、塩化ビニル、ウレタンフィルム等によって形成することができる。図１等の例では、シート基板１１は矩形に形成されているが、これに限定されることはない。シート基板１１の寸法は、第１誘導の心電信号を良好に検出するために必要とされる測定電極１２，１３の間の距離を確保可能に決定すればよい。一例として、測定電極１２，１３間の距離は、１０〜３０ｍｍ程度であるが、心電信号が良好に検出できればこの数値範囲には制約されない。
【００１８】
シート基板１１の裏側には、図１の斜線で示すように、体表面と接触する部分に粘着剤が設けられている。粘着剤としては人体に悪影響のないものを適宜選択することができ、例えば救急絆創膏に用いられるアクリル系粘着剤、ゴム系粘着剤、シリコーン系粘着剤等があげられる。また簡単のために図示は省略しているが、シート基板１１の裏側には、使用前の状態において粘着剤を保護するための保護シート（救急絆創膏におけるセパレータに相当）が設けられる。
【００１９】
測定電極１２、１３は、それぞれ導電性繊維で形成された短冊状の部材である。導電性繊維を用いているのは、長時間体表面に接触するための体表面への負担を極力減らすためである。測定電極１２，１３は、前記した第１誘導の心電信号を検出可能な距離だけ相互に離隔した位置に設けられる。測定電極１２，１３は、後述するモニタユニット１００に適宜の手段で電気的に接続される。一方、接地電極１４も測定電極１２，１３と同じく導電性繊維で形成された短冊状の部材であり、後述するモニタユニット１００内の接地端子に適宜の手段で電気的に接続される。
【００２０】
接続部１５は、測定電極１２，１３および接地電極１４とモニタユニット１００との間を電気的に接続するための中継部材であり、測定電極１２，１３および接地電極１４をモニタユニット１００の所定の端子に接続するための配線、導電パターン等を含む。接続部１５の具体的な構造は設計上の要求によって適宜決定することができる。
【００２１】
図１に例示するモニタパッド１０では、接続部１５に隣接して、血圧センサ１８、温度センサ１９、呼吸数センサ２０が設けられている。血圧センサ１８、呼吸数センサ２０としては、静電容量の変化あるいは体表面の変形などを検出する圧力センサを適用することができる。温度センサ１９としては、サーミスタセンサ等の適宜の形式のセンサを適用することができる。なお、血圧センサ１８、温度センサ１９、呼吸数センサ２０は、一つのチップとして構成してもよい。また、血圧センサ１８、温度センサ１９、呼吸数センサ２０を設けない構成、およびこれらのいずれかを選択して設けることも可能である。なお、心電信号測定用の測定電極１２，１３を利用して、モニタパッド１０装着部位付近での筋電信号を検出するように構成してもよい。筋電信号を検出するようにすれば、生体情報収集対象者の腕や頭の動きを捉えることができ、トリアージや容態の把握に有用な情報となる。
【００２２】
例えば図２に示すように、モニタパッド１０の表側には、モニタユニット１００が設けられている。図示の実施形態では、モニタユニット１００はチップ状に形成されており、後述する機能を実現する電気・電子回路が内蔵されている。またモニタユニット１００には、後述する表示出力部として、３つの表示灯１５０とディスプレイ１４０とが設けられている。表示灯１５０は例えば青、黄、赤等互いに発光色の異なる３つの発光ダイオード（ＬＥＤ）素子で構成することができ、後述するデータ入出力部１３５からの出力信号に応じて対応する表示灯１５０が点灯又は点滅する。いずれの表示灯１５０が点灯又は点滅しているかによって、モニタパッド１０を装着している人の容態を判別することができ、それによって診察や治療の順番の優先度を決定するトリアージを容易にすることができる。なお、発光色が異なる複数の発光素子を設けるほか、一の発光素子を明滅させ、装着している人の容態に応じて明滅速度を変化させる構成も可能である。要するに、容態に応じて表示灯１５０の発光態様が変化し、それによってトリアージを容易にすることができればよい。
【００２３】
ディスプレイ１４０は、例えば液晶ディスプレイ（ＬＣＤ）、有機ＥＬディスプレイ等の表示素子により構成される。ディスプレイ１４０には、例えば後述するＩＤ情報記憶部１３３に格納されているモニタユニット１００固有の識別番号等の情報を表示させることができる。あるいは、後述するように、外部から入力してモニタユニット１００内の適宜の記憶デバイスに格納したデータ、例えば生体情報収集対象者であるモニタパッド１０装着者の固有識別番号を表示させるようにしてもよい。
【００２４】
モニタパッド１０の表側には、また、装着者データ表示部１６、装着時刻表示部１７が設けられる。装着者データ表示部１６には、モニタパッド１０を装着している人についての情報、例えば氏名、年齢、性別、住所、電話番号等を、看護師、医師等が記入できる欄を設けて構成されている。なお、個人情報保護の観点から、上記の情報の一部のみ記入するようにすることは自由である。装着時刻表示部１７は、そのモニタパッド１０を生体情報収集対象者に装着した時刻が記入できる欄を設けて構成されている。
【００２５】
図４に、図１〜図３により説明したモニタパッド１０を人体に装着した状態を模式的に示している。本実施形態では、第１誘導の心電信号を検出するために、人体Ｂの体表面に、モニタパッド１０の測定電極１２，１３が概ね心臓の中心の両側に配置されることとなるようにモニタパッド１０を貼り付けている。図示の位置１〜位置４のいずれに装着するかは、生体情報収集対象者の容態、受傷部位等の状況に応じて決定すればよい。
【００２６】
モニタユニット１００
次に、本実施形態のモニタユニット１００について説明する。図５に、モニタユニット１００の構成例を示している。図５に示すように、モニタユニット１００は、絶縁増幅部１１０、通信インタフェース（通信Ｉ／Ｆ）１２０、演算部１３０、および表示出力部１４０を備えている。
【００２７】
絶縁増幅部１１０は、モニタパッド１０の電極１２，１３から生体情報収集対象者の微弱な心電信号（ｍＶオーダー）を受信して、基線動揺と称する生体電位特有のゆらぎノイズ除去、非反転増幅器等による信号増幅、後段のＡＤコンバータの入力電圧範囲（０〜５Ｖ）に収まる信号への変換といった信号処理を行う回路部である。絶縁増幅部１１０の具体的な回路構成は、上記の機能を実現できるものであればどのような構成としても差し支えない。
【００２８】
通信Ｉ／Ｆ１２０は、後述する心電データを、有線、無線のＬＡＮ、Bluetooth（登録商標）（IEEE802.15.1規格）等の通信ネットワークに送出し、またそれら通信ネットワークからのデータを受信するためのインタフェース回路である。通信Ｉ／Ｆ１２０を通じて、モニタユニット１００は通信ネットワークに接続されているスマートフォン、タブレット等のモバイル端末、あるいは後述する生体情報収集装置とデータ授受を実行することができる。
【００２９】
演算部１３０は、ハードウェアとしてはデータ記憶領域であるメモリとデータ処理機能を有するなんらかのプロセッサとを備える、例えばマイクロコンピュータとして構成することができ、本実施形態では、波形変換部１３１、心電データ生成部１３２、ＩＤ情報記憶部１３３、心電データ処理部１３４、センサデータ処理部１３５、およびデータ入出力部１３６の各機能ブロックとしてのプログラムを有している。
【００３０】
波形変換部１３１は、絶縁増幅部１１０から受信したアナログ心電波形データについて適宜のサンプリング処理を行って所定のデジタル心電データに変換するＡＤコンバータの機能を有する。ＡＤ変換にあたってのサンプリング周波数、サンプリング期間は適宜定めることができる。
【００３１】
心電データ生成部１３２は、波形変換部１３１でデジタル形式に変換された波形データから、所定のフォーマットの心電データを生成する機能を有する。変換後のデジタルデータフォーマットとして、例えばＭＦＥＲ（Medical waveform Format Encoding Rules、医用波形標準化記述規約）等に定める汎用フォーマットを採用しておけば、心電データの可用性が高まり有利である。
【００３２】
ＩＤ情報記憶部１３３は、当該モニタユニット１００が設けられているモニタパッド１０の個体識別符号であるモニタパッドＩＤ、後述する生体情報収集対象者ＩＤ、モニタユニット１００が接続されている測定電極１２，１３から取得された対象者の心電データ、その心電データに基づいて判定された、トリアージのための資料となる心電判定結果、モニタパッド装着部位で測定された筋電信号を示す筋電情報、温度センサ１８によって測定された体温情報、血圧センサ１９によって測定された血圧情報、心電データから求められた心拍数情報、および呼吸数センサ２０によって測定された呼吸数情報を記憶している記憶領域である。ＩＤ情報の構成例を図６に示している。図６のＩＤ情報では、時間をおいて繰り返し取得された心電データが複数個記録されるようになっている。なお、ＩＤ情報として記録されるデータは特に上記に限定されるものではない。
【００３３】
心電データ処理部１３４は、取得した心電データおよび他の生体情報データを使用した各種のデータ処理、例えば心電データ判定処理等を実行する機能を有する。心電データ処理部１３４での具体的なデータ処理例については後述する。
【００３４】
センサデータ処理部１３５は、心電データ生成部１３２、心電データ処理部１３４と同様の機能を有し、温度センサ１８で測定された体温等の生体情報について、アナログ信号からデジタルデータへの変換処理、変換後の出力データをＩＤ情報記憶部１３３に格納する等の処理を行う。
データ入出力部１３６は、通信Ｉ／Ｆ１２０、後述する表示出力部１４０を通じたデータ入出力処理を行う機能を有する。
【００３５】
表示出力部１４０は、図１〜図３に関して説明したように、データの表示出力を可能とする出力デバイスである。なお、図５では図示を省略しているが、モニタユニット１００の演算部１３０には、本実施形態で説明する機能以外の機能を設けることができる。
【００３６】
以上の構成を有するモニタユニット１００を備えたモニタパッド１０によれば、救急絆創膏やシート状のしっぷ薬のように簡便に人体に貼り付けて心電データ等の生体情報を測定し、取得することができる。そして、取得した心電データに基づく対象者の容態、体調等の判定結果をわかりやすく表示して迅速なトリアージを支援することができる。
【００３７】
モニタユニット１００で実行されるデータ処理
次に、以上の構成を備えるモニタユニット１００で実行される主要なデータ処理について説明する。図７に、モニタユニット１００で実行されるデータ処理フロー例を示している。本実施形態では、このデータ処理は、主として心電データ処理部１３４、センサデータ処理部１３５によって実行されるが、一部のステップについてこれ以外の機能ブロックで実行することは差し支えない。以下、煩雑さを避けるため、各ステップの動作主体はモニタユニット１００で代表させる。
【００３８】
モニタユニット１００はＳ３１０で処理を開始すると、Ｓ３２０に設けられているタイマにより次のステップを実行するタイミングまで待機する。そして次ステップ実行タイミングが到来すると（Ｓ３２０  ＹＥＳ）、モニタユニット１００はＩＤ情報記憶部１３３に格納されている最新の心電データ、センサデータを取得する（Ｓ３３０）。これにより、モニタユニット１００は所定タイミングにて最新の心電データ、センサデータを取得する処理を繰り返すことになる。
【００３９】
次いでモニタユニット１００は、取得した心電データについて、あらかじめＩＤ情報記憶部１３３に記憶させてある心電データを分類するための閾値データと比較して心電データを分類する（Ｓ３４０）。心電データの判定結果により、対象者は例えば次のように分類することができる。
・レベル０：無呼吸、無心電群（心肺停止状態）
死亡、生命兆候なし、救命が不可能
・レベル１：最優先治療群（生命に関わる危篤状態）
一刻も早い処置をすべき状態
・レベル２：待機的治療群（レベル１ほどではないが早期に治療が必要な状態）
バイタルサインが安定している
・レベル３：保留群（早期の処置や搬送が不要な状態）
歩行可能、バイタルサインも問題なし
【００４０】
すでに触れたように、上記の分類には、あらかじめＩＤ情報記憶部１３３に記憶させた閾値データが使用される。閾値データとしては、心電信号の振幅、波形等のデータを用いることができる。閾値データは、上記のレベル分類に適応するようにあらかじめ規定しておけばよい。なお、閾値データによるレベル分類に代えて、取得される心電データの時間変化に基づいて、対象者の相対的な容態の変化を出力表示するように構成してもよい。
【００４１】
次いで、モニタユニット１００は、Ｓ３４０での分類結果に応じて対応する表示出力を行う（Ｓ３５０）。図１等のモニタパッド１０のように３つの表示灯１５０が設けられている場合には、点灯色とレベルとを、例えばレベル０では赤のように対応づけることにより、モニタパッド１０を装着している対象者の状態を明確に知ることができる。
【００４２】
モニタユニット１００は、Ｓ３５０での分類結果およびＳ３３０で取得したセンサデータをモニタパッドＩＤと紐付けて通信ＩＦ１２０を通じて外部の通信ネットワークに送信する（Ｓ３６０）。モニタユニット１００は、以上のデータ処理をＳ３２０のタイマで設定された時間間隔で繰り返し実行する。
【００４３】
以上説明したモニタユニット１００が実行するデータ処理によって、生体情報収集対象者の状態を心電データに基づいて分類して表示することができるので、心電データという客観的なデータに基づいた適切なトリアージを迅速に行うことができる。また取得された心電データ、判定結果データ、センサデータを、通信ネットワークを通じて外部装置に送信することができるので、それらのデータを対象者の治療、看護等に有効に活用することが可能となる。
【００４４】
生体情報収集装置２００
次に、生体情報収集装置２００について説明する。本実施形態の生体情報収集装置２００は、モニタパッド１０に設けられているモニタユニット１００と通信ネットワークを介して接続され、モニタユニット１００を通じて対象者から収集される心電データ、センサデータの管理とそれを使用した各種データ処理を実行する機能を有するコンピュータ、例えばノートＰＣ、スマートフォン、タブレット等である。図８に生体情報収集装置２００の構成例を示している。図８に示すように、生体情報収集装置２００は、通信インタフェース（通信Ｉ／Ｆ）２１０、管理演算部２２０、および入出力装置２３０を備えている。
【００４５】
通信Ｉ／Ｆ２１０は、モニタユニット１００からの心電データ、判定結果データ、およびセンサデータを、例えばBluetooth等の近接通信によって受信するためのインタフェース回路である。
入出力装置２３０は、キーボード、マウス、タッチパネル等の入力デバイスと、表示モニタ、プリンタ等の出力デバイスとを備えている。
【００４６】
管理演算部２２０は、ハードウェアとしてはデータ記憶領域であるメモリとデータ処理機能を有するなんらかのプロセッサとを備える、例えばマイクロプロセッサとして構成することができ、本実施形態では、データ入出力部２２１、生体情報管理部２２２の各機能ブロック（プログラム）と、生体情報記憶部２２３とを備える。
データ入出力部２２１は、通信Ｉ／Ｆ２１０、入出力装置２３０を通じたデータ入出力処理を行う機能を有する。
【００４７】
生体情報管理部２２２は、モニタユニット１００から受信する心電データ、判定結果データ、センサデータを生体情報記憶部２２３に格納する。モニタユニット１００で心電データの判定を行わない場合には、モニタユニット１００から受信した心電データにより、図７で説明したデータ処理を生体情報管理部２２２が実行する。
【００４８】
生体情報記憶部２２３は、モニタユニット１００から受信した心電データ、判定結果データ、センサデータと、対象者のＩＤとを対応づけて記憶している。図９に、生体情報記憶部２２３の構成例を示している。図９の例では、対象者ＩＤに対応づけて、モニタパッドＩＤ、心電データ、判定結果、筋電情報、体温、血圧、呼吸数の各項目が記録されるように構成している。対象者ＩＤは、モニタパッド１０による測定開始前に、モニタユニット１００のデータ入出力部１３６を介して本生体情報収集装置２００あるいはスマートフォン等のモバイル端末からあらかじめ入力し、モニタユニット１００のＩＤ情報記憶部１３３に記録しておく。モニタパッドＩＤは、モニタユニット１００の製造時にＩＤ情報記憶部１３３に記録しておく。心電データは、モニタユニット１００から受信した順に所定数のデータが格納されるように構成しており、古いデータから順に更新される。判定結果は図９の例では、例えばレベル０〜３のいずれかが記録される。モニタユニット１００で心電データの判定を行わない場合には、この項目は記録されない。筋電情報、体温、血圧、呼吸数の各データは、センサデータとしてモニタユニット１００から受信したデータである。上記の心電データや判定結果、センサデータは、例えば対象者ＩＤをキーにして検索するなどの操作により、入出力装置２３０を通じて表示出力させる等の形態で利用することができる。
【００４９】
以上の構成を有する生体情報収集装置２００によれば、モニタユニット１００から収集した各対象者の心電データ、センサデータに基づいて、各対象者の治療、看護を適切に行う等の対応が可能となる。
【００５０】
本実施形態のモニタパッド１０を用いた医療支援システム
図１０に、本実施形態のモニタパッド１０を用いた医療支援システムの概要を模式的に示している。対象者に装着されたモニタパッド１０からは、Bluetooth等の近接通信によりスマートフォン、ノートＰＣ、タブレット等のモバイル端末に心電データ等のデータが送信される。図１０の例では、これらのモバイル端末が生体情報収集装置２００に相当する。生体情報収集装置２００としてのモバイル端末においては、モニタパッド１０から受信したデータを、対応の優先順位の高い順に自動的にソートして表示させたり、対象者のレベルに変化があったときに表示灯、画面表示やサウンドでアラートを発したりさせるように構成することができる。これにより、各対象者について迅速なトリアージが可能となり、またより適確な治療、看護を行うことができる。
【００５１】
生体情報収集装置２００に記録された対象者のデータは、対象者が搬送される病院等の医療施設に通信ネットワークを通じて転送することが可能であるため、受け入れ側の医療施設では各対象者の容態を事前に把握してより適切な対応をとることが可能である。
【００５２】
以上説明したように、本実施形態のモニタパッド１０によれば、簡単に対象者の体表面に貼り付けるだけで、心電データをはじめとする生体情報を取得することができる。取得した心電データ等に基づいて対象者の状態を判定し、その結果を表示灯によって表示することができるので、対象者の状態を客観的に、かつ迅速適確に判定してトリアージを行うことができる。また、モニタパッド１０で取得された心電データ等の生体情報は、モバイル端末とのBluetooth等による近接通信を通じて生体情報収集装置２００であるモバイル端末、医療施設のサーバコンピュータ等に転送することができるので、それらの生体情報を利用して対象者を適切に治療、看護することが可能である。
【００５３】
本発明の技術的範囲は上記の実施形態に限定されることはなく、他の変形例、応用例等も、特許請求の範囲に記載した事項の範囲内に含まれるものである。
【符号の説明】
【００５４】
１０  モニタパッド
１１  シート基板
１２，１３  測定電極
１４  接地電極
１００  モニタユニット
１１０  絶縁増幅部
１２０，２１０  通信インタフェース
１３０  演算部
１３１  波形変換部
１３２  心電データ生成部
１３３  ＩＤ情報記憶部
１３４  心電データ処理部
１３５  センサデータ処理部
１３６  データ入出力部
１４０  表示出力部
２００  心電データ管理装置
２２０  管理演算部
２２１  データ入出力部
２２２  生体情報管理部
２２３  生体情報記憶部
２３０  入出力装置
【図１】
2019017803.tif 000003
【図２】
2019017803.tif 000004
【図３】
2019017803.tif 000005
【図４】
2019017803.tif 000006
【図５】
2019017803.tif 000007
【図６】
2019017803.tif 000008
【図７】
2019017803.tif 000009
【図８】
2019017803.tif 000010
【図９】
2019017803.tif 000011
【図１０】
2019017803.tif 000012